(57)【要約】【課題】スクリーン布を上下方向に長く設計しても、下部菱形リンク構体における左右両側の上下リンクの連結部を十分に補強することができて、前傾変形の生じ難い頑丈な折り畳み式スクリーンを提供する。【解決手段】スクリーン布支持用のパンタグラフ機構３は、下部菱形リンク構体４と、該構体４の後側に配置された逆Ｖ字形補強部５と、前記下部菱形リンク構体４の上部に接続され、該下部菱形リンク構体４の伸長動作に連動する上部菱形リンク構体６とを備え、下部菱形リンク構体４における左側の上下リンク４１ａ、４１ｃの連結部を跨ぐ態様でくの字形の左側関節補強用リンク体８が配設され、下部菱形リンク構体４における右側の上下リンク４１ｂ、４１ｄの連結部を跨ぐ態様でくの字形の右側関節補強用リンク体８が配設されている。【選択図】図１
2008083283.tif 000002
【特許請求の範囲】
【請求項１】
巻き取り方向の弾性力が付勢されてロール巻きの状態で上面開放の横長ケース内に収容され、使用時に上方へ引き出されるスクリーン布と、該スクリーン布の後側に配置され、上下方向へ伸縮可能なスクリーン布支持用のパンタグラフ機構とを備え、
前記パンタグラフ機構が、前記スクリーン布の巻き取り状態で折り畳まれて前記ケース内に格納され、前記スクリーン布の引き出しに追従して前記パンタグラフ機構が伸長して該引き出し状態を保持するように構成された折り畳み式スクリーンにおいて、
前記パンタグラフ機構は、
菱形に配設された４本のリンクが枢支・連結されるとともに、上下方向の伸縮と折り畳みが可能に構成され、下端側が前記ケース内に枢支された下部菱形リンク構体と、
前記下部菱形リンク構体の後側の面内で逆Ｖ字形に配置されて各上端同士が枢支・連結された一対の梁部材がそれぞれ前記下部菱形リンク構体における下側の左右両側リンクに枢支されるとともに、これら梁部材の各下端が前記ケース内に横移動可能に取り付けられた逆Ｖ字形補強部と、
菱形に配設された４個の短尺リンクが枢支・連結されるとともに、下側の左右両側リンクの略中間部が前記下部菱形リンク構体の上側の左右両側リンクにそれぞれ枢支・連結されて、前記下部菱形リンク構体の伸縮動作に連動する上部菱形リンク構体と、
を備え、
前記下部菱形リンク構体における左側の上下のリンク同士の連結部を跨ぐ態様で略くの字形の左側関節補強用リンク体が配設され、該左側関節補強用リンク体の上下両端部が前記下部菱形リンク構体における左側の上下のリンクにそれぞれ枢支・連結される一方、下部菱形リンク構体における右側の上下のリンク同士の連結部を跨ぐ態様で略くの字形の右側関節補強用リンク体が配設され、該右側関節補強用リンク体の上下両端部が前記下部菱形リンク構体における右側の上下のリンクにそれぞれ枢支・連結されていることを特徴とする折り畳み式スクリーン。
【請求項２】
前記左右両側の関節補強用リンク体及び前記上部菱形リンク構体は、前記逆Ｖ字形補強部と同一平面上に配置されている請求項１に記載の折り畳み式スクリーン。
【請求項３】
前記左右両側の関節補強用リンク体は、前記パンタグラフ機構の折り畳み状態において前記上部菱形リンク構体及び前記逆Ｖ字形補強部と干渉し合わない大きさに設定されている請求項２に記載の折り畳み式スクリーン。
【発明の詳細な説明】
【技術分野】
【０００１】
この発明は、企業やオフィス、あるいは地域や家庭などで使用されるスライド映写機、フィルム映写機、ビデオ映写機、液晶プロジェクタ、ＯＨＰなどの各種映写機器の映像を映写するために用いられる折り畳み式スクリーンに関する。
【背景技術】
【０００２】
この種のスクリーンとしては、スクリーン布がロール状に巻かれて収容されるケース内にパンタグラフ機構が格納され、このパンタグラフ機構により前記スクリーン布の折り畳みや引き出しを行い得るように構成されたものが知られている。
【０００３】
上記構成の折り畳み式スクリーンにおいて、スクリーンを縦に長くしたい場合には、それに伴ってパンタグラフ機構も大きくなるが、そうするとスクリーン折り畳み時にパンタグラフ機構のリンクがケースの左右両端からはみ出すことになるために、スクリーンを縦に長く設計することは自ずと制約されてしまうという問題があった。
【０００４】
そこで、このような制約を受けることなくスクリーンを縦に長く設計することが可能になるものとして、パンタグラフ機構を上下の２段に構成したものが提案されている。具体的には、菱形に配置された４本のリンクを枢支・連結して上下方向の伸縮と折り畳みが可能に構成し、その下端側を前記ケース内に枢支した下部菱形リンク構体と、この下部菱形リンク部とは前後方向で段違いの平面上に菱形に配設された４本の短尺のリンクを枢支・連結するとともに、前記下部菱形リンク構体の上部に重なる状態で接続した上部菱形リンク構体とでパンタグラフ機構を構成することにより、パンタグラフ機構の横幅寸法を抑えつつ、スクリーンを縦方向に長く（上下方向に長く）設計できるようにした折り畳み式スクリーンが提案されている（特許文献１参照）。
【特許文献１】特開２００５−３４５６６０号公報
【発明の開示】
【発明が解決しようとする課題】
【０００５】
しかしながら、上記従来技術では、パンタグラフ機構を下部菱形リンク構体と上部菱形リンク構体とからなる上下２段構成にしたことにより、下部菱形リンク構体における左側の上下リンクの連結部及び右側の上下リンクの連結部に対する集中荷重が大きくなる結果、これら連結部からパンタグラフ機構が前傾変形しやすいという問題があった。
【０００６】
この発明は、上記実情に鑑みてなされたものであり、スクリーン布を上下方向に長く設計しても、下部菱形リンク構体における左右両側の上下リンクの連結部を十分に補強することができて、前傾変形の生じ難い頑丈な折り畳み式スクリーンを提供することを目的とする。
【課題を解決するための手段】
【０００７】
前記目的を達成するために、本発明は以下の手段を提供する。
【０００８】
［１］巻き取り方向の弾性力が付勢されてロール巻きの状態で上面開放の横長ケース内に収容され、使用時に上方へ引き出されるスクリーン布と、該スクリーン布の後側に配置され、上下方向へ伸縮可能なスクリーン布支持用のパンタグラフ機構とを備え、
前記パンタグラフ機構が、前記スクリーン布の巻き取り状態で折り畳まれて前記ケース内に格納され、前記スクリーン布の引き出しに追従して前記パンタグラフ機構が伸長して該引き出し状態を保持するように構成された折り畳み式スクリーンにおいて、
前記パンタグラフ機構は、
菱形に配設された４本のリンクが枢支・連結されるとともに、上下方向の伸縮と折り畳みが可能に構成され、下端側が前記ケース内に枢支された下部菱形リンク構体と、
前記下部菱形リンク構体の後側の面内で逆Ｖ字形に配置されて各上端同士が枢支・連結された一対の梁部材がそれぞれ前記下部菱形リンク構体における下側の左右両側リンクに枢支されるとともに、これら梁部材の各下端が前記ケース内に横移動可能に取り付けられた逆Ｖ字形補強部と、
菱形に配設された４個の短尺リンクが枢支・連結されるとともに、下側の左右両側リンクの略中間部が前記下部菱形リンク構体の上側の左右両側リンクにそれぞれ枢支・連結されて、前記下部菱形リンク構体の伸縮動作に連動する上部菱形リンク構体と、
を備え、
前記下部菱形リンク構体における左側の上下のリンク同士の連結部を跨ぐ態様で略くの字形の左側関節補強用リンク体が配設され、該左側関節補強用リンク体の上下両端部が前記下部菱形リンク構体における左側の上下のリンクにそれぞれ枢支・連結される一方、下部菱形リンク構体における右側の上下のリンク同士の連結部を跨ぐ態様で略くの字形の右側関節補強用リンク体が配設され、該右側関節補強用リンク体の上下両端部が前記下部菱形リンク構体における右側の上下のリンクにそれぞれ枢支・連結されていることを特徴とする折り畳み式スクリーン。
【０００９】
［２］前記左右両側の関節補強用リンク体及び前記上部菱形リンク構体は、前記逆Ｖ字形補強部と同一平面上に配置されている前項１に記載の折り畳み式スクリーン。
【００１０】
［３］前記左右両側の関節補強用リンク体は、前記パンタグラフ機構の折り畳み状態において前記上部菱形リンク構体及び前記逆Ｖ字形補強部と干渉し合わない大きさに設定されている前項２に記載の折り畳み式スクリーン。
【発明の効果】
【００１１】
［１］の発明によれば、スクリーン布を支持するパンタグラフ機構が下部菱形リンク構体とその上部に連結された上部菱形リンク構体との上下２段構成であるから、スクリーン布を縦長に（上下方向に長く）設計できる上、このような縦長を維持しつつパンタグラフ機構の左右の幅の小寸化が可能となるのでパンタグラフ機構を折り畳んだ格納状態でケースの左右両側からパンタグラフ機構の一部がはみ出すのを確実に回避できる。
【００１２】
更に、下部菱形リンク構体における左側の上下リンクの連結部を跨ぐ態様で略くの字形の左側関節補強用リンク体が伸縮可能に配設されると共に、下部菱形リンク構体における右側の上下リンクの連結部を跨ぐ態様で略くの字形の右側関節補強用リンク体が伸縮可能に配設されているから、パンタグラフ機構が下部菱形リンク構体と上部菱形リンク構体とからなる上下２段構成であっても、下部菱形リンク構体における左右両側の上下リンクの連結部に集中する荷重が前記左右両側の関節補強用リンク体に分散されることで、該連結部を十分に補強することができて、パンタグラフ機構の前傾変形を防止することができる。
【００１３】
［２］の発明によれば、左右両側の関節補強用リンク体及び上部菱形リンク構体が、逆Ｖ字形補強部と同一平面上に配置されているから、即ち左右両側の関節補強用リンク体、上部菱形リンク構体及び逆Ｖ字形補強部が、下部菱形リンク構体の後側の同一平面上に配置されているから、例えば左右両側の関節補強用リンク体が下部菱形リンク構体の前側に位置した場合等と比較すると、パンタグラフ機構の前後方向の厚みを小さくして薄型化・コンパクト化を十分に図りつつ、パンタグラフ機構の前傾変形をより効果的に防止することができる。
【００１４】
［３］の発明によれば、パンタグラフ機構の折り畳み動作時における上部菱形リンク構体の収縮動作及び逆Ｖ字形補強部の収縮動作が、左右両側の関節補強用リンク体に邪魔される（干渉される）ことなく円滑に遂行され得る。即ち、パンタグラフ機構の前後方向の厚みを小さくして薄型化・コンパクト化を十分に図りつつ、十分な補強効果を付与できてパンタグラフ機構の前傾変形を十分に防止できると共に、パンタグラフ機構の収縮動作を十分にスムーズに行い得るものとなる。
【発明を実施するための最良の形態】
【００１５】
以下、この発明の一実施形態を図面に基づいて説明する。
【００１６】
図１及び図２は、それぞれこの発明の一実施形態に係る折り畳み式スクリーンを示す背面図および右側面図である。この折り畳み式スクリーンは、ケース１と、スクリーン布２と、パンタグラフ機構３と、スクリーン用弾性伸縮部材７、７と、左右両側の関節補強用リンク体８、８とを備えている。
【００１７】
前記ケース１は、例えば金属や合成樹脂等で形成された上面開放の横長の容器であり、該ケース１内にスクリーン布２がロール巻きされて収容されている。
【００１８】
前記スクリーン布２には、図示しないスプリングにより、常時巻き取り方向への復帰弾性力が付与されており、前記収容状態でのスクリーン布２の引き出し端を前記復帰弾性力に抗して上方へ引き上げると、該スクリーン布２がケース１から引き出されるようになっている。
【００１９】
前記パンタグラフ機構３は、図１〜３に示すように、下部菱形リンク構体４と、逆Ｖ字形補強部５と、上部菱形リンク構体６とを備えている。
【００２０】
前記下部菱形リンク構体４は、例えば角パイプ等からなる４個のリンク４１ａ，４１ｂ，４１ｃ，４１ｄが同一平面上で菱形の各辺を構成するように配列されてなる。
【００２１】
前記下部菱形リンク構体４における上側の左側リンク４１ａの下端部と下側の左側リンク４１ｃの上端部とは連結部材４２により枢支・連結されており、また上側の右側リンク４１ｂの下端部と下側の右側リンク４１ｄとは連結部材４３により枢支・連結されている（図３参照）。
【００２２】
また、下部菱形リンク構体４における上側の左右両側リンク４１ａ，４１ｂの各上端部は、連結部材４４を介して互いに枢支・連結され、前記下部菱形リンク構体４における下側の左右両側リンク４１ｃ，４１ｄの各下端部は、前記ケース１の幅方向の中央部に取付固定された枢支部４５を介して連結・枢支されている（図３参照）。
【００２３】
前記左側の連結部材４２としては、上側の左側リンク４１ａと下側の左側リンク４１ｃとが同一平面上に位置しているから（図２、３参照）、例えば図４（Ａ）（Ｂ）に示すような連結体４２１，４２２が使用されている。
【００２４】
図４（Ａ）に示すように、一方の連結体４２１は、リンク取り付け部４２１ａの先端に、軸孔４２１ｂを有する雄連結片４２１ｃが形成されたものからなり、他方の連結体４２２は、リンク取り付け部４２２ａの先端に、軸孔４２２ｂを有する雌連結片４２２ｃが形成されたものからなる。
【００２５】
前記一方の連結体４２１の雄連結片４２１ｃを他方の連結体４２２の嵌合溝４２２ｄに嵌入した状態で、軸体４２３を軸孔４２１ｂ，４２２ｂに挿入して該軸体４２３にワッシャーを取付固定することにより、両方のリンク取り付け部４２１ａ，４２２ａが同一平面上に位置することになる。これにより、図４（Ｂ）に示すように、上側の左側リンク４１ａと下側の左側リンク４１ｃとが同一平面上で回動可能に枢支・連結されている。
【００２６】
なお、前記右側の連結部材４３についても、上側の右側リンク４１ｂと下側の右側リンク４１ｄとが同一平面上に位置していることから（図３参照）、図４に示すものと同じ連結体４２１，４２２が使用されている。
【００２７】
また、前記上側の連結部材４４についても、上側の左側リンク４１ａと上側の右側リンク４１ｂとが同一平面上に位置していることから（図３参照）、図４に示すものと同じ連結体４２１，４２２が使用されている。
【００２８】
また、前記枢支部材４５としては、前記下側の左右両側リンク４１ｃ，４１ｄの各下端部が同一平面上に配置していることから（図３参照）、前記連結部材４２と略同様の構造をもった連結体が用いられている。
【００２９】
勿論、前記連結部材４２，４３，４４や前記枢支部材４５は、上記構成に限定されるものではなく、適宜任意のものを採用可能である。
【００３０】
前記逆Ｖ字形補強部５は、例えば角パイプ等からなる一対の梁部材５１，５２を有する。これら梁部材５１，５２が前記下部菱形リンク構体４の後側の同一平面上に逆Ｖ字形に配置されるとともに、前記梁部材５１，５２の各略中間部がそれぞれ前記下部菱形リンク構体４における下側の左右両側リンク４１ｃ，４１ｄにピン５１１，５２１により枢支されている（図３参照）。
【００３１】
更に、前記梁部材５１，５２の各上端同士が連結部材５３により枢支・連結されており、また前記梁部材５１，５２の各下端に設けられたローラ５４，５５は、ケース１内に設けられたレール部１０に対して横（左右方向）移動可能に設置されている（図１参照）。
【００３２】
前記上部菱形リンク構体６は、例えば角パイプ等からなる４個の短尺リンク６１ａ，６１ｂ，６１ｃ，６１ｄが、下部菱形リンク構体４の後側の同一平面上において、即ち前記逆Ｖ字形補強部５と同一平面上に位置して、菱形の各辺を構成するように配列されてなる。また、前記上部菱形リンク構体６は、その下部側が下部菱形リンク構体４の上部側に重なる状態で該下部菱形リンク構体６の伸縮動作に連動するように接続されている。
【００３３】
前記上部菱形リンク部構体６における上側の左右両側リンク６１ａ，６１ｂの各下端部は、前記下側の左右両側リンク６１ｃ，６１ｄの各上端部に対して、それぞれ連結部材６２，６３により枢支・連結され、前記上側の左右両側リンク６１ａ，６１ｂの各上端部同士は、連結部材６４により枢支・連結され、該連結部材６４は、スクリーン布２の上端が接続された横桟２０に固定されている（図１、３参照）。
【００３４】
また、前記上部菱形リンク部構体６における下側の左右両側リンク６１ｃ，６１ｄは、それぞれ下部菱形リンク構体４における上側の左右両側リンク４１ａ、４１ｂの各上部側に対してピン６６，６７を介して枢支・連結され、前記下側の左右両側リンク６１ｃ，６１ｄの各下端部同士は、連結部材６５を介して枢支・連結されている（図１、３参照）。
【００３５】
前記連結部材６２，６３，６４，６５としては、上部菱形リンク部構体６のリンク６１ａ，６１ｂ，６１ｃ，６１ｄが全て同一平面上に位置するから（図３参照）、図４に示す連結部材４２と同様のもの（図示は省略する）が用いられている。
【００３６】
前記スクリーン用弾性伸縮部材７，７は、図１に示すように、各下端部が前記ケース１にピン７１１，７１１を介して枢支・連結されており、また各上端部が下部菱形リンク構体４における下側の左右両側リンク４１ｃ，４１ｄの略中央部にピン７１２，７１２を介してそれぞれ枢支・連結されている。
【００３７】
各スクリーン用弾性伸縮部材７は、伸縮パイプ７１を有しており、その内部には、スプリング（図示せず）が収縮状態で組み込まれている。このスプリングによる上方へのばね力により、スクリーン布２の引き上げ操作が容易に行えるようになっている。
【００３８】
前記左右両側の関節補強用リンク体８，８は、前記下部菱形リンク構体４における左右の連結部材４２，４３を補強するものである。
【００３９】
左側の関節補強用リンク体８は、前記上部菱形リンク構体６と同一平面上に配置された上下一対のリンク８１１，８１２を備えている（図１〜３参照）。
【００４０】
これら上下一対のリンク８１１，８１２は、前記下部菱形リンク構体４における左側の連結部材４２を内側において跨ぐ態様でくの字形に配設されるとともに、互いに枢支部８２で枢支・連結されている。また、前記上側リンク８１１の上端部が前記下部菱形リンク構体４における上側の左側リンク４１ａの下端部にピン８３を介して枢支・連結される一方、前記下側リンク８１２の下端部が下部菱形リンク構体４における下側の左側リンク４１ｃの上端部にピン８４を介して枢支・連結されている（図１〜３参照）。
【００４１】
右側の関節補強用リンク体８も、前記上部菱形リンク構体６と同一平面上に配設された上下一対のリンク８１１，８１２を備えている（図１、３参照）。
【００４２】
これら上下一対のリンク８１１，８１２は、前記下部菱形リンク構体４における右側の連結部材４３を内側において跨ぐ態様でくの字形に配設されるとともに、互いに枢支部８２を介して枢支・連結されている。また、前記上側リンク８１１の上端部が前記下部菱形リンク構体４における上側の右側リンク４１ｂの下端部にピン８３を介して枢支・連結される一方、前記下側リンク８１２の下端部が下部菱形リンク構体４における下側の右側リンク４１ｄの上端部にピン８４を介して枢支・連結されている（図１、３参照）。
【００４３】
前記左右両側のの関節補強用リンク体８，８は、前記パンタグラフ機構３の折り畳み状態において前記上部菱形リンク構体６と干渉し合わない大きさに設定されている、即ち前記上部菱形リンク構体６の折り畳み動作を妨げない大きさに設定されている。
【００４４】
なお、図１及び図２において、９は、ケース１の下面に設けられた、床面に安定設置するための設置部材である。
【００４５】
次に、上記構成の折り畳み式スクリーンの使用手順を説明する。
【００４６】
持ち運び時や格納時等の非使用時には、パンタグラフ機構３を図５（Ａ）に示すように偏平状態に折り畳む。
【００４７】
パンタグラフ機構３の折り畳み動作に伴って、スクリーン布２がロール状に巻き取られる。この状態では、パンタグラフ機構３における下部菱形リンク構体４、逆Ｖ字補強部５及び上部菱形リンク構体６、更には左右両側の関節補強用リンク体８，８、スクリーン用弾性伸縮部材７，７が収縮してケース１内に纏まって収容される。
【００４８】
折り畳み式スクリーンを使用する場合には、ケース１を床などの設置面に設置部材９を介して置いた状態で、スクリーン布２の上端を掴んで引き上げると、ロール巻のスクリーン布２が引き出される。
【００４９】
この時、前記収縮状態のパンタグラフ機構３における上部菱形リンク構体６及び下部菱形リンク構体４が図５（Ｂ）に示すように伸長しはじめ、さらに図５（Ｃ）に示すように起立するように上方へ伸長される。
【００５０】
一方、逆Ｖ字形補強部５における左右の梁部材５１，５２における枢支部（ピン）５１１，５２１の位置が上昇する一方、一対の梁部材５１，５２の各下端が接近変移するから、該逆Ｖ字形補強部５が鋭角に起立する。これにより、下部菱形リンク構体４における下側の左右両側リンク４１ｃ，４１ｄの動きが同調して円滑に伸長する。
【００５１】
また、この時、弾性伸縮部材７，７により、下側の左右両側リンク４１ｃ，４１ｄが押し上げられるから、上記伸長動作が一層スムーズに行われる。
【００５２】
前記スクリーン布２を最高位置まで引き上げれば、図１及び図２に示すように、上部菱形リンク構体６及び下部菱形リンク構体４が完全に起立するから、スクリーン布２がその引き出し位置に保持されることになる。
【００５３】
ここで、パンタグラフ機構３は、前記下部菱形リンク構体４の上部に上部菱形リンク構体６を接続した上下２段構成であるから、スクリーン布２の最上端レベル位置を高く設定することができる（即ちスクリーン布２を上下方向に長く設計できる）と共に、このようにスクリーン布２を縦長に設計しつつパンタグラフ機構３の左右の幅寸法を抑制できるのでパンタグラフ機構３を折り畳んだ格納状態でケース１の左右両側からパンタグラフ機構３の一部がはみ出すのを確実に回避できる。
【００５４】
ところで、左右両側の関節補強用リンク体８，８が設けられていない従来構造の折り畳み式スクリーンでは、スクリーン布２を最上位置まで引き上げて使用する状態では、パンタグラフ機構３の上部側の荷重が下部菱形リンク構体４における左右の関節部、即ち左右の連結部材４２，４３に荷重が集中するから、これら関節部からパンタグラフ機構３が前傾変形を生じやすかった。これに対して、本願発明では、前記左右両側の関節補強用リンク体８，８により、前記下部菱形リンク構体４における左側の上下のリンク４１ａ，４１ｃ間及び右側の上下のリンク４１ｃ，４１ｄ間に対する突っ張り作用が働くと共に、荷重が左右の関節補強用リンク体８，８にも分散されるので、左右の連結部材４２，４３が十分に補強され、これによりパンタグラフ機構３が下部菱形リンク構体４と上部菱形リンク構体６とからなる上下２段構成であっても、該連結部４２，４３を十分に支持補強することができて、パンタグラフ機構３の前傾変形を防止することができる。即ち、スクリーン布２を適性状態に支持できる。
【００５５】
なお、前記左右両側の関節補強用リンク体８，８は、前記左右の連結部材４２，４３を跨ぐ位置にあれば、前後方向の配置関係については特に制約されないが、上記実施形態のように下部菱形リンク構体４の後面側において上部菱形リンク構体６及び前記逆Ｖ字形補強部５と同一平面上に配置されるのが好ましく、この場合には、左右両側の関節補強用リンク体を下部菱形リンク構体４の前側に配置した場合等と比較して、パンタグラフ機構３の前傾変形をより一層効果的に抑制することができるし、パンタグラフ機構３の前後方向の厚みが小さくなり全体の薄形化・コンパクト化を図ることもできる。
【図面の簡単な説明】
【００５６】
【図１】この発明の一実施形態に係る折り畳み式スクリーンを示す背面図である。
【図２】同じく折り畳み式スクリ−ンを示す右側面図である。
【図３】同じく折り畳み式スクリ−ンにおけるパンタグラフ機構を背面側から見た斜視図である（レール部の図示は省略した）。
【図４】（Ａ）は同一平面上に位置するリンク同士を連結・枢支するのに使用する連結部材を示す分解斜視図、（Ｂ）は同じく使用状態の連結部材の側面図である。
【図５】折り畳み式スクリ−ンの引き出しに伴うパンタグラフ機構の動作説明図である。
【符号の説明】
【００５７】
１…ケース
２…スクリーン布
３…パンタグラフ機構
４…下部菱形リンク構体
５…逆Ｖ字形補強部
６…上部菱形リンク構体
８…関節補強用リンク体
４１ａ、４１ｂ、４１ｃ、４１ｄ…下部菱形リンク構体のリンク
５１、５２…梁部材
６１ａ、６１ｂ、６１ｃ、６１ｄ…上部菱形リンク構体のリンク
８１１…関節補強用リンク体の上側リンク
８１２…関節補強用リンク体の下側リンク
【図１】
2008083283.tif 000003
【図２】
2008083283.tif 000004
【図３】
2008083283.tif 000005
【図４】
2008083283.tif 000006
【図５】
2008083283.tif 000007